(57)【要約】  【課題】  衝撃や振動により発生する異常画像の発生を自動的に検出するとともに、自動復旧させることにより処理効率の低下を回避できる画像形成装置を提供する。  【解決手段】  紙葉体を搬送する搬送部と、搬送部により搬送された紙葉体に画像を形成する画像形成部と、搬送部及び画像形成部による画像形成プロセスを制御する画像形成プロセス制御手段と、搬送部または画像形成部にかかる振動を検知する振動検出センサを備え、紙葉体への画像形成動作中に振動検出センサによる検出振動レベルが所定の許容レベルを超えたと判断したときに、画像形成プロセス制御手段は当該紙葉体へ形成された画像が異常画像であると判断し、画像形成部による当該紙葉体への画像形成動作を停止して画像形成プロセスを実行する。  【選択図】  図４
2005324430.tif 000002
【特許請求の範囲】
【請求項１】
紙葉体を搬送する搬送部と、前記搬送部により搬送された紙葉体に画像を形成する画像形成部と、前記搬送部及び前記画像形成部による画像形成プロセスを制御する画像形成プロセス制御手段を備えてなる画像形成装置であって、
前記搬送部または前記画像形成部にかかる振動を検知する振動検出センサを備え、前記紙葉体への画像形成動作中に前記振動検出センサによる検出振動レベルが所定の許容レベルを超えたと判断したときに、前記画像形成プロセス制御手段は当該紙葉体へ形成された画像が異常画像であると判断する画像形成装置。
【請求項２】
前記画像形成プロセス制御手段は、異常画像であると判断したときに、前記画像形成部による当該紙葉体への画像形成動作を停止して画像形成プロセスを実行する請求項１記載の画像形成装置。
【請求項３】
前記画像形成プロセス制御手段は、異常画像であると判断したときに、当該画像形成動作の終了後に再度同一画像を形成するように前記搬送部及び前記画像形成部による画像形成プロセスを制御する請求項１または２記載の画像形成装置。
【請求項４】
前記画像形成プロセス制御手段は、画像形成動作中に異常画像が発生したときに、当該異常画像が記録された紙葉体を正常画像が記録された紙葉体の排出部とは異なる第二の排出部に排出する請求項１から３の何れかに記載の画像形成装置。
【請求項５】
前記画像形成プロセス制御手段は、一連の複数画像に対する画像形成プロセス中に異常画像が発生したときに、当該画像形成動作に連続する他の画像形成動作の終了後に再度同一画像を形成するように前記搬送部及び前記画像形成部による画像形成プロセスを制御する請求項１から４の何れかに記載の画像形成装置。
【請求項６】
一連の複数画像に対する画像形成プロセス中に異常画像が発生したときに、当該異常画像の後に正常に画像形成された他の紙葉体と、再度画像形成された紙葉体の排出順序を整合する排紙整合手段を設けてある請求項５記載の画像形成装置。
【請求項７】
前記排紙整合手段は、当該異常画像の後に正常に画像形成された他の紙葉体を蓄積する蓄積部と、正常画像が記録された紙葉体の排出部に再度画像形成された紙葉体が排出された後に、前記蓄積部に蓄積された紙葉体を排出する排出制御部とを備えて構成してある請求項６記載の画像形成装置。
【請求項８】
前記画像形成部は、前記紙葉体の搬送方向に沿って複数段配置されたタンデム方式の画像形成部で構成され、複数の紙葉体に対して同時に画像形成動作が実行される請求項５記載の画像形成装置。
【請求項９】
前記画像形成装置が、写真画像データに基づいて画素単位で画像が形成されるデジタル方式の写真プリンタである請求項１から８の何れかに記載の画像形成装置。
【発明の詳細な説明】
【技術分野】
【０００１】
本発明は、紙葉体を搬送する搬送部と、前記搬送部により搬送された紙葉体に画像を形成する画像形成部と、前記搬送部及び前記画像形成部による画像形成プロセスを制御する画像形成プロセス制御手段を備えてなる画像形成装置に関する。
【背景技術】
【０００２】
上述の画像形成装置に異常振動が加わると、その程度によっては画像が乱れ、異常な画像として出力される。操作者は出力画像を目視して異常画像の発生を認識すると、当該画像を再度出力するように画像形成装置を操作作動する必要があった。
【０００３】
また、画像形成装置に加わる振動や衝撃を加速度センサにより検出し、振動や衝撃が検出されたときに画像形成動作を停止させる制御手段を設けたものが提案されている。
【特許文献１】特開平０５−０１９５５８号公報
【発明の開示】
【発明が解決しようとする課題】
【０００４】
しかし、大きな振動、衝撃が加わった場合に異常画像を目視判断するのは比較的容易であるが、微妙な異常画像を目視判断する場合には熟練者でなければ困難であるという問題があり、加速度センサにより振動や衝撃が検出されたときに画像形成動作を停止するものでは、停止した後に搬送部に残された紙葉体を取り除いた後に、再度画像形成装置を操作作動させる必要があり、操作が煩雑であるばかりか、処理効率が低下するという問題があった。
【０００５】
本発明は、上述の従来欠点に鑑み、衝撃や振動により発生する異常画像の発生を自動的に検出するとともに、自動復旧させることにより処理効率の低下を回避できる画像形成装置を提供する点にある。
【課題を解決するための手段】
【０００６】
上述の目的を達成するため、本発明による画像形成装置の第一の特徴構成は、特許請求の範囲の書類の請求項１に記載した通り、紙葉体を搬送する搬送部と、前記搬送部により搬送された紙葉体に画像を形成する画像形成部と、前記搬送部及び前記画像形成部による画像形成プロセスを制御する画像形成プロセス制御手段を備えてなる画像形成装置であって、前記搬送部または前記画像形成部にかかる振動を検知する振動検出センサを備え、前記紙葉体への画像形成動作中に前記振動検出センサによる検出振動レベルが所定の許容レベルを超えたと判断したときに、前記画像形成プロセス制御手段は当該紙葉体へ形成された画像が異常画像であると判断する点にある。
【０００７】
上述の特徴構成によれば、画像形成プロセス制御手段により、振動検出センサによる検出振動レベルに基づいて異常画像が発生したか否かが自動的に判断されるので、オペレータが出力物を異常画像であるか否かを目視判断する必要が無くなるのである。そして、検出振動レベルの許容レベルを適切に設定することにより、確実に異常画像の発生を検出判断できるようになるのである。
【０００８】
同第二の特徴構成は、同請求項２に記載した通り、上述した第一特徴構成に加えて、前記画像形成プロセス制御手段は、異常画像であると判断したときに、前記画像形成部による当該紙葉体への画像形成動作を停止して画像形成プロセスを実行する点にある。
【０００９】
この場合、異常画像であると判断されたときに当該紙葉体に対する画像形成動作を継続しても無駄となるので、無用な画像形成動作を停止することにより経済性を損なうことなく画像形成プロセスを実行することにより、機内に紙葉体が残されること無く排出され、次の画像形成プロセスに備えることができるようになるのである。
【００１０】
同第三の特徴構成は、同請求項３に記載した通り、上述した第一または第二特徴構成に加えて、前記画像形成プロセス制御手段は、異常画像であると判断したときに、当該画像形成動作の終了後に再度同一画像を形成するように前記搬送部及び前記画像形成部による画像形成プロセスを制御する点にある。
【００１１】
異常画像が発生したと判断されると、当該画像形成動作の終了後に再度同一画像が形成されるように前記画像形成プロセス制御手段が制御して自動的にリカバリーがなされるので、再度画像形成出力するための煩雑な設定操作が不要となるので、利便性が著しく向上するのである。
【００１２】
同第四の特徴構成は、同請求項４に記載した通り、上述した第一から第三の何れかの特徴構成に加えて、前記画像形成プロセス制御手段は、画像形成動作中に異常画像が発生したときに、当該異常画像が記録された紙葉体を正常画像が記録された紙葉体の排出部とは異なる第二の排出部に排出する点にある。
【００１３】
生成された異常画像を自動排出することにより、従来の動作停止による場合に必要とされたオペレータによる機内の紙葉体の取出し操作が不要になるのであるが、正常画像と同一の排出部に排出されると、従来のようにどの画像が異常であるかをオペレータが目視判断する必要が生じる。そこで、正常画像が記録された紙葉体の排出部とは異なる第二の排出部に排出することにより、容易に区別することができるようになるのである。
【００１４】
同第五の特徴構成は、同請求項５に記載した通り、上述した第一から第四の何れかの特徴構成に加えて、前記画像形成プロセス制御手段は、一連の複数画像に対する画像形成プロセス中に異常画像が発生したときに、当該画像形成動作に連続する他の画像形成動作の終了後に再度同一画像を形成するように前記搬送部及び前記画像形成部による画像形成プロセスを制御する点にある。
【００１５】
上述の構成によれば、複数枚の紙葉体に対する画像形成動作が連続的になされる場合において、当該異常画像の画像形成動作に連続する他の画像形成動作の終了後に再度同一画像を形成するように制御されるので、画像形成プロセスの処理効率を低下させることなく自動リカバリーが可能になるのである。
【００１６】
同第六の特徴構成は、同請求項６に記載した通り、上述した第五特徴構成に加えて、一連の複数画像に対する画像形成プロセス中に異常画像が発生したときに、当該異常画像の後に正常に画像形成された他の紙葉体と、再度画像形成された紙葉体の排出順序を整合する排紙整合手段を設けてある点にある。
【００１７】
上述した自動リカバリーにより正常に画像形成された紙葉体は、本来の出力順序とは異なる順序で排出されることになるので、場合によっては人手で順番を整合させる必要が生じる。そこで、排紙整合手段を設けることにより、本来の画像形成順序通りに自動的に整合された状態で排出されるようになるので、人手による整合の手間が解消されるのである。
【００１８】
同第七の特徴構成は、同請求項７に記載した通り、上述した第六特徴構成に加えて、前記排紙整合手段は、当該異常画像の後に正常に画像形成された他の紙葉体を蓄積する蓄積部と、正常画像が記録された紙葉体の排出部に再度画像形成された紙葉体が排出された後に、前記蓄積部に蓄積された紙葉体を排出する排出制御部とを備えて構成してある点にある。
【００１９】
上述の排紙整合手段の具体的な構成として、蓄積部を設けて、当該異常画像の後に正常に画像形成された他の紙葉体を一旦蓄積し、リカバリー画像が排出された後に蓄積部に蓄積された他の紙葉体を排出することにより、紙葉体の出力順序を整合させることができるのである。
【００２０】
同第八の特徴構成は、同請求項８に記載した通り、上述した第五特徴構成に加えて、前記画像形成部は、前記紙葉体の搬送方向に沿って複数段配置されたタンデム方式の画像形成部で構成され、複数の紙葉体に対して同時に画像形成動作が実行される点にある。
【００２１】
上述のタンデム方式の画像形成部を備えたものでは、夫々の画像形成部により複数の紙葉体に対して同時期に画像形成動作が実行されるので、異常画像が発生した直後に他の紙葉体に対する画像形成動作が連続して行なわれることになり、異常画像の発生直後にリカバリー動作を実行することが困難である。そこで、上述したように、異常画像に対する画像形成動作に連続する他の画像形成動作の終了後に再度同一画像を形成するように前記搬送部及び前記画像形成部による画像形成プロセスを制御する適用例として好ましい形態となるのである。
【００２２】
同第九の特徴構成は、同請求項９に記載した通り、上述した第一から第八の何れかの特徴構成に加えて、前記画像形成装置が、写真画像データに基づいて画素単位で画像が形成されるデジタル方式の写真プリンタである点にある。
【００２３】
写真画像データに基づいて画素単位で画像が形成されるデジタル方式の写真プリンタの場合には、極めて高い解像度が要求されるものであり厚手の紙葉体に画像が形成されるので、僅かな振動であっても微妙な影響を受け易く、また、同時に複数枚の紙葉体が搬送部により搬送されているので、異常画像が発生したときに装置を停止することの影響が大きい。そのため、本発明の適用によりその効果は極めて高いものとなるのである。
【発明の効果】
【００２４】
以上説明した通り、本発明によれば、衝撃や振動により発生する異常画像の発生を自動的に検出するとともに、自動復旧させることにより処理効率の低下を回避できる画像形成装置を提供することができるようになった。
【発明を実施するための最良の形態】
【００２５】
以下に本発明による画像処理装置を、写真画像データに基づいて画素単位で画像が形成されるデジタル方式のインクジェット写真プリンタを例に説明する。図１（ａ）に示すように、インクジェット写真プリンタ１は、紙葉体としての所定サイズの写真プリント用のペーパーＰが蓄積されたペーパーカセットＣ１，Ｃ２と、ペーパーにカラー写真画像を形成する画像形成部２と、前記画像形成部２に前記ペーパーカセットＣ１，Ｃ２の何れかからペーパーＰを搬送供給し、画像形成後のペーパーＰを排出部４に向けて排出搬送する搬送部６と、前記搬送部６及び前記画像形成部２による画像形成プロセスを制御する画像形成プロセス制御手段８が搭載された制御基板８０を備えて構成されている。
【００２６】
前記画像形成部２は、前記搬送部から搬送されたペーパーＰにインク滴を吐出して画像を形成するイエロー（Ｙ）、マゼンダ（Ｍ）、シアン（Ｃ）、ブラック（Ｋ）の四色のインクヘッド２ａ，２ｂ，２ｃ，２ｄをペーパーＰの搬送方向に沿って順番に配置してタンデム方式の画像形成部として構成される。各インクヘッドはフレームに支持された走査機構（図示せず）によりペーパーＰの搬送方向（副走査方向）に直角な方向（主走査方向）に往復駆動されるキャリッジ２０ａ，２０ｂ，２０ｃ，２０ｄに夫々搭載されている。
【００２７】
前記搬送部６は、前記ペーパーカセットＣ１，Ｃ２に収容された夫々サイズの異なるペーパーＰの何れかを前記画像形成部２に搬送供給する複数対の搬送ローラ群を備えた給紙搬送部６ａと、供給されたペーパーＰを前記画像形成部２で搬送する印字搬送部６ｂと、前記画像形成部２で画像が形成されたペーパーＰを排出部４に向けて搬送する複数対の搬送ローラ群を備えた排出搬送部６ｃとで構成され、前記排出搬送部６ｃには、ペーパーＰを第一搬送部６０を経由して前記排出部４に搬送するか、第二搬送部６１を経由して前記排出部４に排出するか、第三搬送部６２を経由して前記排出部４とは異なる第二の排出部４０に搬送するかを切替える振分機構６ｄを備えて構成されている。
【００２８】
前記振分機構６ｄは、搬送経路に沿って配置された複数対のローラ群Ｒと各ローラ対の中間に配置された爪状のガイド機構Ｇとで構成され、前記ガイド機構Ｇを破線と実線で示される何れかの姿勢に切替えることによりペーパーＰの搬送方向が切替えられるように構成されている。例えば、最下段のガイド機構Ｇを実線で示す姿勢に切替えると画像形成部２から搬送されたペーパーＰが第一搬送部６０に搬送され、破線で示す姿勢に切替えるとそのまま上方に搬送されるのである。
【００２９】
図１（ｂ）に示すように、前記第二の排出部４０は装置の背面に設置され、前記第三搬送部６２に搬送されたペーパーＰが排出ローラにより背面の開口から送り出されて当該第二の排出部４０に落下するように構成されている。尚、第二の排出部４０が前記第三搬送部４０と兼用されるものであってもよい。つまり、第三搬送部４０に搬送されたペーパーＰがそのまま第三搬送部４０に蓄積されるように構成するのである。この場合には、第三搬送部４０をユニットとして装置本体から引出し可能に構成することにより、容易に人手で取り除くことが可能となる。
【００３０】
前記画像形成部２のフレームには振動検出センサ５としての圧電素子を備えた加速度ピックアップが設けられ、インクジェット写真プリンタに加えられた外力などによる衝撃や振動の程度を検出するように構成され、その出力信号が前記画像形成プロセス制御手段８に入力されている。
【００３１】
前記インクジェットプリンタ１の制御基板８０は、図２に示すように、前記給紙搬送部６ａ、前記印字搬送部６ｂ、前記振分機構を含む前記排出搬送部６ｃを制御する搬送制御部８１と、前記走査機構により前記インクヘッド２ａ，２ｂ，２ｃ，２ｄを所定速度で主走査方向に駆動制御し、各インクヘッドに対してインクの吐出タイミング制御などを行なう画像形成制御部８２と、出力される画像データが格納される画像メモリ８３と、画像メモリ８３に蓄積された画像データを１ラインずつドライバ回路８５に出力するＦＩＦＯ方式の出力画像バッファ８４とを備えて構成されている。尚、ドライバ回路８５は前記インクヘッドに搭載されるものであってもよい。
【００３２】
前記画像形成プロセス制御手段８は、画像管理用のコンピュータ（図示せず）とネットワーク接続され、当該コンピュータから送信されるプリントリクエストコマンド及び前記画像メモリ８３に取り込まれる出力画像データに基づいて前記搬送部６及び画像形成部２を駆動制御して画像形成プロセスを管理実行する。
【００３３】
詳述すると、前記画像形成プロセス制御手段８は、プリントリクエストコマンドに付随するペーパーサイズデータに合致したペーパーＰが収容されているペーパーカセットからペーパーＰを給紙して前記画像形成部２に搬送する。前記画像形成部２では、搬送されたペーパーＰの先端部から出力画像データに基づいてイエロー（Ｙ）、マゼンダ（Ｍ）、シアン（Ｃ）、ブラック（Ｋ）の四色のインクヘッド２ａ，２ｂ，２ｃ，２ｄを順に駆動制御してインク画像を形成する。画像が形成されたペーパーＰを前記第一搬送部６０を経由して前記排出部４に搬送する。このような画像形成プロセスをプリントリクエストコマンドに応じて連続して実行するのである。
【００３４】
前記画像形成部２では、図３に示すように、連続して搬送されるペーパーＰ１，Ｐ２，Ｐ３，Ｐ４に対して同時に画像形成動作を実行する。図３ではペーパーＰ１に対してイエロー（Ｙ）、マゼンダ（Ｍ）による画像形成動作が終了して、シアン（Ｃ）、ブラック（Ｋ）による画像形成動作が実行されており、ペーパーＰ２に対してイエロー（Ｙ）、マゼンダ（Ｍ）による画像形成動作が実行されているところである。
【００３５】
前記画像形成プロセス制御手段８は、上述の画像形成動作中に前記振動検出センサ５による検出振動レベルが所定の許容レベルを超えたと判断したときに、当該ペーパーに形成された画像が異常画像であると判断し、前記画像形成部２による当該ペーパーＰ１，Ｐ２への画像形成動作を停止して、つまり、インクヘッド２ａ，２ｂ，２ｃ，２ｄからのインクの吐出し制御を停止して画像形成プロセスを実行する。
【００３６】
以下、異常振動が検出されたときの前記画像形成プロセス制御手段８による画像形成プロセスについて詳述する。図４に示すように、前記振動検出センサ５による検出振動レベルが所定の許容レベルを超えたと判断したときに（Ｓ１）、画像形成動作中であれば（Ｓ２）、振動などによる異常画像が発生していると判断して画像形成動作中のペーパーＰ１，Ｐ２に対するインクの吐き出しを停止し（Ｓ３）、後続する新たなペーパーＰ３，Ｐ４への再プリント、つまりリカバリーが可能か否かを判断する（Ｓ４）。
【００３７】
前記画像メモリ８３から前記出力画像バッファ８４に当該異常画像に対応する画像データを再度書込み、直ちに出力できる状態、つまり、当該異常画像に対応する画像データに続く他の画像データが書き込まれていない状態であるときにはリカバリーが可能と判断し、既に他の画像データが書き込まれている場合にはリカバリーが可能でないと判断するのである。
【００３８】
リカバリーが可能であれば、後続するペーパーＰ３，Ｐ４に再度同一の画像を形成する一方で（Ｓ５）、前記振分機構６ｄにより異常画像と判断された先行のペーパーＰ１，Ｐ２を前記第三搬送部６２を経由して前記搬送部４とは異なる第二の搬送部４０に搬送し（Ｓ６）、リカバリーされたペーパーＰ３，Ｐ４を第一搬送部６０を経由して前記排出部４に搬送する（Ｓ７）。
【００３９】
リカバリーが可能でなければ、現在画像バッファ８４に書込み中である画像データの書込みが終了したときに、前記異常画像に対応する画像データを再度書込む割込み処理を実行し（Ｓ８）、リカバリーされるまでに先行して画像形成処理が行なわれたペーパーＰ、ここではペーパーＰ３に対して前記振分機構６ｄを切替えて前記第二搬送部６１に搬送する。前記第二搬送部６１にペーパーＰ３が収容されると前記第二搬送部６１を停止して一時的に蓄積する（Ｓ９）。つまり、前記画像形成プロセス制御手段８は、一連の複数画像に対する画像形成プロセス中に異常画像が発生したときに、当該画像形成動作に連続する他の画像形成動作の終了後に再度同一画像を形成するように前記搬送部６及び前記画像形成部２による画像形成プロセスを制御するのである。
【００４０】
リカバリー処理によりペーパーＰ４，Ｐ５（図示せず）に画像が形成されると当該ペーパーＰ４，Ｐ５に対して前記振分機構６ｄを切替えて前記第一搬送部６０に搬送して前記排出部４に排出する（Ｓ１０）。ペーパーＰ４，Ｐ５が前記排出部４に排出されると、前記第二搬送部６１を駆動して蓄積されているペーパーＰ３を前記排出部４に排出する（Ｓ１１）。
【００４１】
即ち、前記第二搬送部６１及び前記画像形成プロセス制御手段８により、一連の複数画像に対する画像形成プロセス中に異常画像が発生したときに、当該異常画像の後に正常に画像形成された他のペーパーと、再度画像形成されたペーパーの排出順序を整合する排紙整合手段が構成され、前記第二搬送部６１が当該異常画像の後に正常に画像形成された他の紙葉体を蓄積する蓄積部として機能し、前記画像形成プロセス制御手段８が正常画像が記録されたペーパーの排出部に再度画像形成されたペーパーが排出された後に、前記蓄積部に蓄積されたペーパーを排出する排出制御部として機能するのである。
【００４２】
上述した蓄積部としての第二搬送部６１は上下二段に一枚ずつペーパーＰを収容できるように構成してあるので、異常画像と判断された後にリカバリーが実行されるまでの間に先行する二枚のペーパーＰを蓄積できることになる。
【００４３】
このようにして、異常画像が発生したと判断されると、当該画像形成動作の終了後に再度同一画像が形成されるように前記画像形成プロセス制御手段が制御して自動的にリカバリーがなされるので、再度画像形成出力するための煩雑な設定操作が不要となり、利便性が著しく向上するのである。
【００４４】
また、生成された異常画像を自動排出することにより、従来の動作停止による場合に必要とされたオペレータによる機内の紙葉体の取出し操作が不要になり、且つ、正常画像が記録されたペーパーの排出部４とは異なる第二の排出部４０に排出することにより、容易に区別することができるようになるのである。
【００４５】
以下、別実施形態を説明する。上述の実施形態では、画像形成部がタンデム方式を採用し、同時に複数のペーパーに画像形成動作が可能なものを説明したが、同時に一枚のペーパーにのみ画像形成される方式のものにも適用可能である。
【００４６】
上述の画像形成装置は規定サイズにカットされたペーパーにインク画像が形成されるものを説明したが、本発明で画像が形成される記録媒体は、カットペーパーに限らず、ロールペーパーや樹脂製の記録媒体など紙葉体であれば問題は無い。
【００４７】
上述した実施形態では、異常画像が発生したときに、他のプリントに優先して直ちにリカバリー動作を実行し、直ちにリカバリー動作が実行できないときには、現在画像バッファ８４に書込み中である画像データの書込みが終了したときに、前記異常画像に対応する画像データを再度書込む割込み処理を実行することで、可能な限り迅速にリカバリー処理を行なうものを説明したが、一連の画像形成動作の最後にリカバリー処理を行なうものであってもよい。この場合には、プリントペーパーの順序が前後する場合もあり得るのである。つまり、上述した蓄積部の容量が一杯になると出力順序の整合ができなくなる場合も生じるのである。また、蓄積部が設けられていない場合には、当然に出力順序が前後することになる。
【００４８】
上述した実施形態では、蓄積部としての第二搬送部６１を上下二段に構成したものを説明したが、本発明による蓄積部はこのような構成に限定されるものではなく、一段であっても、三段以上の複数段に構成されるものであってもよく、さらには、一段に複数枚のペーパーＰを蓄積可能とし、出力順序を整合する際に一枚ずつ排出する排出機構を設けるものであってもよい。さらには、蓄積されたペーパーの束を一括して排出部に出力する搬送機構を設けるものであってもよい。
【００４９】
上述した実施形態では、画像形成装置を写真画像データに基づいて画素単位で画像が形成されるデジタル方式のインクジェット写真プリンタで構成したものを説明したが、写真プリンタはインクジェットプリンタに限定されるものではなく、印画紙にＲ，Ｇ，Ｂのレーザー光を照射して現像処理して出力する印画紙用の写真プリンタなどにも適用可能であることはいうまでもない。
【００５０】
また、本発明はデジタル方式の写真プリンタに限らずフィルムを投影露光して印画紙に焼き付けるアナログ方式の写真プリンタにも適用可能である。この場合の画像形成部は投影光学系で構成される。
【００５１】
さらには、本発明は写真プリンタに限らず、インクジェットプリンタや電子写真方式のプリンタ、複写機など、紙葉体を搬送する搬送部と、前記搬送部により搬送された紙葉体に画像を形成する画像形成部と、前記搬送部及び前記画像形成部による画像形成プロセスを制御する画像形成プロセス制御手段を備えてなる画像形成装置に適用できるものである。
【図面の簡単な説明】
【００５２】
【図１】画像形成装置のブロック構成図
【図２】画像形成装置の制御ブロック構成図
【図３】画像形成部の説明図
【図４】フローチャート
【符号の説明】
【００５３】
１：画像形成装置（インクジェット写真プリンタ）
２：画像形成部
４：排出部
５：振動検出センサ
６：搬送部
６ａ：給紙搬送部
６ｂ：印字搬送部
６ｃ：排出搬送部
６ｄ：振分機構
８：画像形成プロセス制御手段（排出制御部）
６０：第一搬送部
６１：第二搬送部（蓄積部）
６２：第三搬送部
【図１】
2005324430.tif 000003
【図２】
2005324430.tif 000004
【図３】
2005324430.tif 000005
【図４】
2005324430.tif 000006